(57)【特許請求の範囲】
【請求項１】
信号線により空気調和機本体と単一又は複数台のリモコンが接続され双方向に通信を行う空気調和機のシステムにおいて、
上記リモコンが、
自身が主機であることが分かる予め定められたコマンドを受信したか否かを判別する判別手段と、
該判別手段の判別結果に応じて自身が主機または従機であると認識する認識手段とを備え、
上記リモコンは、上記空気調和機本体より給電された時点から、所定時間後に、上記コマンドを他のリモコンに対して送信し、かつ自身が主機であるということを認識し、そのコマンドを自身が送信する以前に他のリモコンから受信した場合には、そのコマンドを送信せずに、自身は従機であるという認識をすることを特徴とする空気調和機の制御装置。
【請求項２】
信号線により空気調和機本体と単一又は複数台のリモコンが接続され双方向に通信を行う空気調和機のシステムにおいて、
上記リモコンが、
自身が主機であることが分かる予め定められたコマンドを受信したか否かを判別する判別手段と、
該判別手段の判別結果に応じて自身が主機または従機であると認識する認識手段とを備え、
上記リモコンは、上記空気調和機本体より給電された後、初めて、空気調和機に関する操作入力を受けた際に、上記コマンドを他のリモコンに対して送信し、かつ自身が主機であるということを認識し、そのコマンドを自身が送信する以前に他のリモコンからそのコマンドを受信した場合には、自身は従機であるという認識をし、以降は空気調和機に関する操作入力を受けた際にもそのコマンドを送信しないことを特徴とする空気調和機の制御装置。
【請求項３】
上記リモコンは、空気調和機に関する操作入力を受ける度に繰り返し、上記コマンドを他のリモコンに対して送信し、かつ自身が主機であることを認識し、そのコマンドを他のリモコンから受信した場合には自身は従機であるという認識をすることを特徴とする請求項２記載の空気調和機の制御装置。
【請求項４】
上記空気調和機本体または上記リモコンに内蔵されるセンサ入力手段からの入力情報のうち、何れか１台のリモコンからの入力を有効とし、上記空気調和機本体の制御を行う際、主機の認識をしたリモコンの入力を有効とするようにしたことを特徴とする請求項１〜３のいずれかに記載の空気調和機の制御装置。
【請求項５】
上記所定時間は、各々のリモコンが持つクロック周波数の物理的バラツキ等を利用して出力値を決定する機能を持つ乱数発生手段の出力に基づいて決定されることを特徴とする請求項１記載の空気調和機の制御装置。
【請求項６】
信号線により空気調和機本体と単一又は複数台のリモコンが接続され双方向に通信を行う空気調和機のシステムにおいて、
自身が主機であることが分かる予め定められたコマンドを受信したか否かを判別する第１のステップと、
該第１のステップにおける判別結果に応じて自身が主機または従機であると認識する第２のステップとを含み、
上記第１のステップは、上記空気調和機本体より給電された時点から、所定時間後に、自身が主機であることが分かる予め定められたコマンドを受信しなければ、そのコマンドを他のリモコンに対して送信し、そのコマンドを自身が送信する以前に他のリモコンから受信した場合には、そのコマンドを送信しないステップを含み、
上記第２のステップは、上記所定時間後に、自身が主機であることが分かる予め定められたコマンドを受信しなければ、自身が主機であるということを認識せず、そのコマンドを自身が送信する以前に他のリモコンから受信した場合には、自身は従機であるという認識をするステップを含むことを特徴とする空気調和機の制御方法。
【請求項７】
信号線により空気調和機本体と単一又は複数台のリモコンが接続され双方向に通信を行う空気調和機のシステムにおいて、
自身が主機であることが分かる予め定められたコマンドを受信したか否かを判別する第１のステップと、
該第１のステップにおける判別結果に応じて自身が主機または従機であると認識する第２のステップとを含み、
上記第１のステップは、上記空気調和機本体より給電された後、初めて、空気調和機に関する操作入力を受けた際に、自身が主機であることが分かる予め定められたコマンドを他のリモコンに対して送信するステップを含み、
上記第２のステップは、そのコマンドを自身が送信する以前に他のリモコンからそのコマンドを受信した場合には、自身は従機であるという認識をするステップを含み、
更に、上記第１のステップは、自身は従機であるという認識をした以降は空気調和機に関する操作入力を受けた際にもそのコマンドを送信しないステップを含むことを特徴とする空気調和機の制御方法。
【請求項８】
上記第１のステップは、上記空気調和機に関する操作入力を受ける度に繰り返し、自身が主機であることが分かる予め定められたコマンドを他のリモコンに対して送信するステップを含み、
上記第２のステップは、上記空気調和機に関する操作入力を受ける度に繰り返し、自身が主機であることを認識するステップと、上記コマンドを他のリモコンから受信した場合には自身は従機であるという認識をするステップとを含むことを特徴とする請求項７記載の空気調和機の制御方法。
【請求項９】
上記空気調和機本体および上記リモコンに内蔵されるセンサ入力手段からの入力情報のうち、何れか１台のリモコンからの入力を有効とし上記空気調和機本体の制御を行う際、主機の認識をしたリモコンの入力を有効とする第３のステップを含むことを特徴とする請求項６〜８のいずれかに記載の空気調和機の制御方法。
【発明の詳細な説明】
【０００１】
【発明の属する技術分野】
この発明は、空気調和機本体と、そのリモコンを接続し情報を双方向に授受するための通信を行う空気調和機の制御装置およびその制御方法に関するものである。
【０００２】
【従来の技術】
図５は、従来の空気調和機の制御装置の構成を示すブロック図である。
図において、１は室外機であり、接続配線５によって室内機２と接続されている。室内機２は、室外機１と通信を行うための送受信回路２１、後述のリモコン３，４と通信を行うための送受信回路２２、およびこれらの送受信回路２１，２２に接続されたマイコン制御部２３により構成されている。
リモコン３および４は、接続配線６，７によって室内機２に接続され、接続配線６，７を介して双方向通信を行うと共に電源を供給される。
【０００３】
また、リモコン３，４は、室内機１とこれらリモコン３，４間の双方向通信を行うための送受信回路３１，４１、空気調和機の動作を指示するための操作を入力するスイッチ等の操作入力手段３２，４２、室温検知のための温度センサ等のセンサ入力手段３３，４３、リモコンに対する運転モード切換等の操作入力のような場合の送受信以外の、リモコンと空調機間の定時情報伝達等の通信の信頼性を上げる、例えば空調機からの定時送信に対するリモコンの受信確認信号の重なりにより送受信が誤動作するのを防ぐ目的で専用の外部入力手段により、唯一のリモコンのみが受信確認信号を送信する設定を行う、またはリモコンから定時通信を行う場合、唯一のリモコンのみが定時送信を行うようにし信号の重なりにより送受信が誤動作をするのを防ぐ、とゆうように室内機２およびそれぞれのリモコン間の双方向通信の手順を定めるためのスイッチ等の主機／従機設定入力手段３４，４４、および送受信回路３１，４１と各入力手段３２〜３４，４２〜４４の間に接続されたマイコン制御部３５，４５により構成される。
【０００４】
次に、従来の空気調和機の制御装置の動作、特に主機／従機設定の動作について説明する。
空気調和機の本体およびリモコンを据付た後、電源投入前にスイッチ等による専用の主機／従機設定入力手段３４，４４により複数台のリモコンのうち何れか１台を主機、その他のリモコンを従機に、据付者が手動で設定することにより、それぞれのリモコン３，４に主機／従機の認識を持たせる設定をし、室内機１およびそれぞれのリモコン３，４間の双方向通信の手順を定めている。
【０００５】
【発明が解決しようとする課題】
ところで、従来の空気調和機の制御装置は以上のように構成されているので、リモコンには主機／従機設定専用の外部入力回路を設けなければならず、リモコンを複数台設置する際にはそれぞれのリモコンの主機／従機の設定を、現地据付工事の際に、スイッチ設定などの主機／従機設定専用の外部入力手段で、実施する必要があり、工事工程が多く、設定忘れ等の工事ミスがあった場合には、空気調和機の制御装置動作に異常を来すといった問題点があった。
【０００６】
この発明は上記のような問題点を解消するためになされたもので、リモコンの主機／従機の設定を、それ専用の設定入力を外部から与えること無しに、自動で行うことができる空気調和機の制御装置およびその制御方法を提供することを目的とする。
【０００７】
また、複数台のリモコンの内、最後に使用者により操作されたリモコンに内蔵された温度センサ等入力データを有効とし、空気調和機の制御に使用することにより、使用者のいる位置に近い温度等入力情報をもって制御を行うことができ、より快適な空気調和動作が可能な空気調和機の制御装置およびその制御方法を提供することを目的とする。
【０００８】
【発明を解決するための手段】
請求項１の発明に係る空気調和機の制御装置は、信号線により空気調和機本体と単一又は複数台のリモコンが接続され双方向に通信を行う空気調和機のシステムにおいて、上記リモコンが、自身が主機であることが分かる予め定められたコマンドを受信したか否かを判別する判別手段と、該判別手段の判別結果に応じて自身が主機または従機であると認識する認識手段とを備え、上記リモコンが、上記空気調和機本体より給電された時点から、所定時間後に、上記コマンドを他のリモコンに対して送信し、かつ自身が主機であるということを認識し、そのコマンドを自身が送信する以前に他のリモコンから受信した場合には、そのコマンドを送信せずに、自身は従機であるという認識をするものである。
【００１０】
請求項２の発明に係る空気調和機の制御装置は、信号線により空気調和機本体と単一又は複数台のリモコンが接続され双方向に通信を行う空気調和機のシステムにおいて、上記リモコンが、自身が主機であることが分かる予め定められたコマンドを受信したか否かを判別する判別手段と、該判別手段の判別結果に応じて自身が主機または従機であると認識する認識手段とを備え、上記リモコンが、上記空気調和機本体より給電された後、初めて、空気調和機に関する操作入力を受けた際に、上記コマンドを他のリモコンに対して送信し、かつ自身が主機であるということを認識し、そのコマンドを自身が送信する以前に他のリモコンからそのコマンドを受信した場合には、自身は従機であるという認識をし、以降は空気調和機に関する操作入力を受けた際にもそのコマンドを送信しないものである。
【００１１】
請求項３の発明に係る空気調和機の制御装置は、請求項２の発明において、上記リモコンが、空気調和機に関する操作入力を受ける度に繰り返し、上記コマンドを他のリモコンに対して送信し、かつ自身が主機であることを認識し、そのコマンドを他のリモコンから受信した場合には自身は従機であるという認識をするものである。
【００１２】
請求項４の発明に係る空気調和機の制御装置は、請求項１〜３のいずれかの発明において、上記空気調和機本体または上記リモコンに内蔵されるセンサ入力手段からの入力情報のうち、何れか１台のリモコンからの入力を有効とし、上記空気調和機本体の制御を行う際、主機の認識をしたリモコンの入力を有効とするようにしたものである。
【００１３】
請求項５の発明に係る空気調和機の制御装置は、請求項１の発明において、上記所定時間が、各々のリモコンが持つクロック周波数の物理的バラツキ等を利用して出力値を決定する機能を持つ乱数発生手段の出力に基づいて決定されるものである。
【００１４】
請求項６の発明に係る空気調和機の制御方法は、信号線により空気調和機本体と単一又は複数台のリモコンが接続され双方向に通信を行う空気調和機のシステムにおいて、自身が主機であることが分かる予め定められたコマンドを受信したか否かを判別する第１のステップと、該第１のステップにおける判別結果に応じて自身が主機または従機であると認識する第２のステップとを含み、上記第１のステップが、上記空気調和機本体より給電された時点から、所定時間後に、自身が主機であることが分かる予め定められたコマンドを受信しなければ、そのコマンドを他のリモコンに対して送信し、そのコマンドを自身が送信する以前に他のリモコンから受信した場合には、そのコマンドを送信しないステップを含み、上記第２のステップが、上記コマンドを受信しなければ、自身が主機であるということを認識せず、受信した場合には、自身は従機であるという認識をするステップを含むものである。
【００１６】
請求項７の発明に係る空気調和機の制御方法は、信号線により空気調和機本体と単一又は複数台のリモコンが接続され双方向に通信を行う空気調和機のシステムにおいて、
自身が主機であることが分かる予め定められたコマンドを受信したか否かを判別する第１のステップと、該第１のステップにおける判別結果に応じて自身が主機または従機であると認識する第２のステップとを含み、上記第１のステップが、上記空気調和機本体より給電された後、初めて、空気調和機に関する操作入力を受けた際に、自身が主機であることが分かる予め定められたコマンドを他のリモコンに対して送信するステップを含み、上記第２のステップが、そのコマンドを自身が送信する以前に他のリモコンからそのコマンドを受信した場合には、自身は従機であるという認識をするステップを含み、更に、上記第１のステップが、自身は従機であるという認識をした以降は空気調和機に関する操作入力を受けた際にもそのコマンドを送信しないステップを含むものである。
【００１７】
請求項８の発明に係る空気調和機の制御方法は、請求項７の発明において、上記第１のステップが、上記空気調和機に関する操作入力を受ける度に繰り返し、自身が主機であることが分かる予め定められたコマンドを他のリモコンに対して送信するステップを含み、上記第２のステップが、上記空気調和機に関する操作入力を受ける度に繰り返し、自身が主機であることを認識するステップと、上記コマンドを他のリモコンから受信した場合には自身は従機であるという認識をするステップとを含むものである。
【００１８】
請求項９の発明に係る空気調和機の制御方法は、請求項６〜８のいずれかの発明において、上記空気調和機本体および上記リモコンに内蔵されるセンサ入力手段からの入力情報のうち、何れか１台のリモコンからの入力を有効とし上記空気調和機本体の制御を行う際、主機の認識をしたリモコンの入力を有効とする第３のステップを含むものである。
【００１９】
【発明の実施の形態】
以下、この発明の実施の形態について図を参照して説明する。
実施の形態１．
図１はこの発明の実施の形態１を示すブロック図である。図１において、図５と対応する部分には同一符号を付し、その詳細説明を省略する。
なお、ここでは一例として、１台の室内機に複数台のリモコンを接続し、リモコンの主機／従機設定を専用の外部入力によらず行う場合について説明する。
図において、２Ａは接続配線５によって室外機１に接続された室内機であって、この室内機２Ａは、上述の送受信回路２１，２２の外に、これらの送受信回路２１，２２に接続されたマイコン制御部２３Ａと、このマイコン制御部２３Ａに接続され、空気調和機制御に使用する温度センサ等のセンサ入力手段２４とを備える。なお、このセンサ入力手段２４については、実質的に後述の実施の形態４で用いられるものである。
【００２０】
また、３Ａ，４Ａは、接続配線６および７によって室内機２Ａと接続され、双方向通信を行うと共に室内機２Ａより電源を供給されるリモコンである。
リモコン３Ａは、上述の送受信回路３１、操作入力手段３２およびセンサ入力手段３３の外に電源投入から自身が主機で有ることが分かる予め定められたコマンドを送信するまでの時間を決定する時間決定手段３６と、時間決定手段３６が時間を決定する際の演算の元となる値を出力し、かつ決定される時間が各々のリモコンにより異なるものとするために、例えば各々のリモコンが持つクロック周波数の物理的バラツキ等を利用して出力値を決定する機能を持つ乱数発生手段３７と、送受信回路３１と各入力手段３２，３３，３６および３７との間に設けられた判別手段および認識手段としてのマイコン制御部３５Ａとを備える。
【００２１】
また、リモコン４Ａは、リモコン３Ａと同様に、上述の送受信回路４１、操作入力手段４２およびセンサ入力手段４３の外に電源投入から自身が主機で有ることが分かる予め定められたコマンドを送信するまでの時間を決定する時間決定手段４６と、時間決定手段４６が時間を決定する際の演算の元となる値を出力し、かつ決定される時間が各々のリモコンにより異なるものとするために、例えば各々のリモコンが持つクロック周波数の物理的バラツキ等を利用して出力値を決定する機能を持つ乱数発生手段４７と、送受信回路４１と各入力手段４２，４３，４６および４７との間に設けられた判別手段および認識手段としてのマイコン制御部４５Ａとを備える。
【００２２】
次に、動作について、リモコン３Ａおよび４Ａに搭載されるマイコン制御部３５Ａおよび４５Ａの動作を示す図２を参照しながら説明する。
リモコン３Ａおよび４Ａは室内機２Ａより給電され、動作を開始すると、ステップＳ１において自身以外のリモコンが送信した、送信リモコン自身が主機であることの分かる予め定められたコマンドａを受信しているか否かを判断し、まだ受信していない場合はステップＳ２に進み、例えば各々のリモコンのもつクロック周波数の物理的バラツキを利用した乱数発生手段３７，４７の出力値を入力し、その値をもとに時間決定手段３６，４６により決定した時間後に、他のリモコンに対して自身が主機であることの分かる予め定められたコマンドａを送信し、ステップＳ３に進み、自身は主機であるという認識を行う。
【００２３】
もし、ステップＳ１において、既に他のリモコンから自身が主機であることが分かる予め定められたコマンドａを受信している場合には、ステップＳ４へと進み、自身は従機であるという認識を行う。
こうして主機／従機の設定を自動に行う。つまり、室内機２Ａから給電されたリモコン３Ａ，４Ａのうち最も早く自身が主機であることが分かる予め定められたコマンドａを送信し、その通信が成立したリモコンが主機、その他のリモコンが従機に設定される。
【００２４】
これにより主機／従機を設定するための外部入力を行うこと無く、主機／従機の設定が可能になる。
なお、ここでは複数台のリモコンが同時に給電されてから、自身が主機であることが分かる予め定められたコマンドａを送信するまでの時間に差を設けるために、時間決定手段３６，４６の演算の元となる値の出力元として、クロック周波数の物理的バラツキを利用した乱数発生手段３７，４７を使用する場合を説明したが、各リモコンに出荷時、例えば不揮発性メモリ等に付加される製品シリアルナンバなどユニークな数値データを使用してもよい。
また、ここでは、リモコン２台の場合について説明したが、上記動作により、１台の場合には必ずそのリモコンが主機に、３台以上の場合には何れか１台のリモコンが主機に、その他のリモコンは従機に設定されるのは明らかである。
【００２５】
このように、本実施の形態では、それぞれのリモコンは、空気調和機本体より給電された時点から、乱数発生手段の出力に基づいて時間決定手段により決定した時間後に、自身が主機であることをが分かる予め定められたコマンドを、他のリモコンに対して送信し、かつ自身が主機で有ることを認識し、送信前に、それを受信した場合にはそのコマンドを送信せずに、自身が従機であることを認識するようにしているので、主機／従機を設定するための外部入力を行うこと無く、主機／従機の設定が可能になる。
【００２６】
実施の形態２．
図３は、この発明の実施の形態２におけるリモコンのマイコン制御部の動作を説明するための図である。
本実施の形態でも、１台の室内機に複数台のリモコンを接続し、リモコンの主機／従機設定を専用の外部入力によらず行う場合であり、従って、回路構成については、実施の形態１と同様のものを用いるものとする。
【００２７】
次に動作について、リモコン３Ａおよび４Ａに搭載されるマイコン制御部３５Ａおよび４５Ａの動作を示す図３を参照しながら説明する。
リモコン３Ａおよび４Ａは室内機２Ａより給電され、何らかの空気調和機の動作を指示するためのスイッチ操作等の操作入力手段３２または４２からの空気調和機に関する操作入力を受けるまでは、図３の如くステップＳ２０（ＮＯ）、ステップＳ２１（ＮＯ）間を循環している。
その後何らかの操作入力手段３２または４２からの空気調和機に関する操作入力を受けると、ステップＳ２０からステップＳ２２へ進み、自身が主機で有ることが分かる予め定められたコマンドａを他のリモコンに対して送信し、ステップＳ２３ヘ進み、自身が主機であるという認識をし主機に設定される。
【００２８】
一方、何らかの操作入力手段３２または４２からの空気調和機に関する操作入力を受ける前にその他のリモコンから、自身が主機であることが分かる予め定められたコマンドａを受信した場合は、ステップＳ２１からステップＳ２４ヘと進み、自身が従機であるという認識をし従機に設定される。
これにより、主機／従機を設定することを専用とする外部入力を行うこと無しに、主機／従機の設定が可能となる。
なお、ここでは、リモコン２台の場合について説明したが、上記動作により、１台の場合には必ずそのリモコンが主機に、３台以上の場合には何れか１台のリモコンが主機に、その他のリモコンは従機に設定されるのは明らかである。
【００２９】
このように、本実施の形態では、それぞれのリモコンは電源投入後も主機／従機の認識を持たず、何らかの空気調和機に関する操作入力を操作入力手段により受けた際に、初めてそのリモコンが主機で有ることが分かる予め定められたコマンドを他のリモコンに対して送信し、かつ自身が主機であることを認識し、それを受信した場合にはそのコマンドを送信せずに、自身が従機であるという認識をするようにしているので、主機／従機を設定することを専用とする外部入力を行うこと無しに、主機／従機の設定が可能となる。
【００３０】
実施の形態３．
図４は、この発明の実施の形態３におけるリモコンのマイコン制御部の動作を説明するための図である。
本実施の形態では、１台の室内機に複数台のリモコンを接続して、リモコンの主機／従機設定を、専用の外部入力によらず空気調和機操作入力を利用して行い、かつその他通常動作中に空気調和機に関する操作入力を受けるたびに、主機／従機設定をやり直す場合であり、回路構成については、実施の形態１と同様のものを用いるものとする。
【００３１】
次に動作について、リモコン３Ａおよび４Ａに搭載されるマイコン制御部３Ａおよび４Ａの動作を示す図４を参照しながら説明する。
リモコン３Ａおよび４Ａは室内機２Ａより給電されて何らかの空気調和機の動作を指示するためのスイッチ操作等の操作入力手段３２または４２からの空気調和機に関する操作入力を受けるまでは、ステップＳ３０、ステップＳ３１、ステップＳ３５の順に進み、ステップＳ３５において、主機／従機設定以外のリモコン制御処理を行い、ステップＳ３０へと戻る動作を繰返す。
【００３２】
ひとたび何らかの操作入力手段３２または４２からの空気調和機に関する操作入力を受けると、ステップＳ３０からステップＳ３２へ進み、自身が主機で有ることが分かる予め定められたコマンドａを他のリモコンに対して送信し、ステップＳ３３ヘ進み、自身が主機であるという認識を行い、ステップＳ３５で主機／従機設定以外のリモコン制御処理を行った後ステップＳ３０へ戻る。
また、他のリモコンから送信リモコン自身が主機で有ることが分かる予め定められたコマンドａを受信した場合には、ステップＳ３４へ進み、自身が従機であるという認識を行い、ステップＳ３５ヘと進み、主機／従機設定以外のリモコン制御処理を行った後ステップＳ３０へ戻る。
【００３３】
例えば電源投入後、先にリモコン３Ａが操作入力手段３２からの空気調和機に関する操作入力を受ければ、リモコン３Ａが主機に、リモコン４Ａが従機に設定され、その後リモコン４Ａが操作入力手段４２からの空気調和機に関する操作入力を受ければ、リモコン４Ａが主機に、リモコン３Ａが従機に設定され、主機／従機設定が入れ換わる。
これにより、常に最後に操作入力手段からの空気調和機に関する操作入力を受けたリモコンが主機に設定される動作が可能となる。
なお、ここではリモコン２台の場合について説明したが、上記動作により、１台の場合には必ずそのリモコンが主機に、３台以上の場合には最後に操作入力手段からの空気調和機に関する操作入力を受けた１台のリモコンが主機に、その他のリモコンは従機に設定されるのは明らかである。
【００３４】
このように、本実施の形態では、それぞれのリモコンは電源投入後も主機／従機の認識を持たず、何らかの空気調和機に関する操作入力を操作入力手段により受けた際に、初めてそのリモコンが主機で有ることが分かる予め定められたコマンドを他のリモコンに対して送信し、かつ自身が主機であるという認識を行い、それを受信した場合にはそのコマンドを送信せずに、自身が従機であるという認識をし、その後通常制御を行なっている際にも何らかの空気調和機に関する操作入力を操作入力手段により受けた際には、その都度そのリモコンが自身が主機であることが分かる予め定められたコマンドを送信し、かつ自身が主機であるという認識をし、そのコマンドを受信した場合には、自身は従機であるという認識をやり直すようにしているので、常に最後に操作入力手段からの空気調和機に関する操作入力を受けたリモコンが主機に設定される動作が可能となる。
【００３５】
実施の形態４．
本実施の形態では、室内機２に内蔵される空気調和機制御に使用する温度センサ等のセンサ入力手段２４、およびリモコン３Ａ，４Ａに内蔵される室温検知のための温度センサ等のセンサ入力手段３３，４３の内何れか１つのセンサ入力手段の入力情報を有効とし、空気調和機の圧縮機、送風機制御等の運転制御を行う際、使用者がリモコン内蔵センサを選択した場合に、主機に設定されたリモコン内蔵センサの入力値を有効として空気調和機の運転制御に使用すると、室内機２のマイコン制御部２３Ａおよびリモコン３Ａ，４Ａのそれぞれマイコン制御部３５Ａ，４５Ａに予め設定しておくものであり、回路構成については、センサ入力手段２４がマイコン制御部２３Ａに対して設けられる以外は実施の形態１と同様のものを用いるものとする。
【００３６】
このような設定をしておけば、例えば上記実施の形態３の如く最後に空気調和機に関する操作入力を操作入力手段により受けたリモコンが常に主機に設定される場合においては、常に最後に使用者が空気調和機に関する操作入力を行ったリモコンに内蔵のセンサ入力手段例えば温度センサの入力値を用いて、空気調和機の制御が行われることになる。そのため、そのリモコン周辺すなわち使用者の周辺の温度条件を用いた空気調和機の制御が可能となる。
【００３７】
このように、本実施の形態では、リモコンに内蔵される温度センサ等空気調和機制御用の入力情報のうち何れか１台のリモコンの入力を有効として制御を行う際、主機の認識をしたリモコンの入力を有効とする制御手順を室内機およびリモコンのマイコン制御部に備えるようにしたので、そのリモコン周辺すなわち使用者の周辺の環境条件例えばセンサ入力手段が温度センサであればその温度条件を用いた空気調和機の制御が可能となる。
【００３８】
【発明の効果】
以上のように、請求項１の発明によれば、信号線により空気調和機本体と単一又は複数台のリモコンが接続され双方向に通信を行う空気調和機のシステムにおいて、リモコンが、自身が主機であることが分かる予め定められたコマンドを受信したか否かを判別する判別手段と、この判別手段の判別結果に応じて自身が主機または従機であると認識する認識手段とを備えたので、リモコンの主機／従機の設定をそれ専用の設定入力を外部から与えること無しに自動的に行うことができ、以て、安価で、据付工事が簡易で、施行性に優れた空気調和機の制御装置を得ることができ、また、リモコンは、空気調和機本体より給電された時点から、所定時間後に、コマンドを他のリモコンに対して送信し、かつ自身が主機であるということを認識し、そのコマンドを自身が送信する以前に他のリモコンから受信した場合には、そのコマンドを送信せずに、自身は従機であるという認識をするので、リモコンの主機／従機設定を手動入力にて行う必要がなく、主従設定専用入力手段を省いた、安価で、据付工事が簡易で、施行性に優れた空気調和機の制御装置を得ることができるという効果がある。
【００４０】
請求項２の発明によれば、信号線により空気調和機本体と単一又は複数台のリモコンが接続され双方向に通信を行う空気調和機のシステムにおいて、リモコンが、自身が主機であることが分かる予め定められたコマンドを受信したか否かを判別する判別手段と、この判別手段の判別結果に応じて自身が主機または従機であると認識する認識手段とを備えたので、リモコンの主機／従機の設定をそれ専用の設定入力を外部から与えること無しに自動的に行うことができ、以て、安価で、据付工事が簡易で、施行性に優れた空気調和機の制御装置を得ることができ、また、リモコンは、空気調和機本体より給電された後、初めて、空気調和機に関する操作入力を受けた際に、コマンドを他のリモコンに対して送信し、かつ自身が主機であるということを認識し、そのコマンドを自身が送信する以前に他のリモコンからそのコマンドを受信した場合には、自身は従機であるという認識をし、以降は空気調和機に関する操作入力を受けた際にもそのコマンドを送信しないので、リモコンの主従設定をそれ専用の入力手段を設けて入力する必要が無く、主従設定専用入力手段を省いた、安価で、据付工事が簡易で、施行性に優れた空気調和機の制御装置を得ることができるという効果がある。
【００４１】
請求項３の発明によれば、リモコンは、空気調和機に関する操作入力を受ける度に繰り返し、コマンドを他のリモコンに対して送信し、かつ自身が主機であることを認識し、そのコマンドを他のリモコンから受信した場合には自身は従機であるという認識をするので、複数台のリモコンの内、常に最後に操作入力手段からの空気調和機に関する操作入力を受けたリモコンが主機に設定される動作が可能となり、使用者のいる位置に近い温度等の環境入力情報をもって制御を行う、快適な空気調和動作が可能な空気調和機の制御装置を得ることができるという効果がある。
【００４２】
請求項４の発明によれば、空気調和機本体またはリモコンに内蔵されるセンサ入力手段からの入力情報のうち、何れか１台のリモコンからの入力を有効とし、空気調和機本体の制御を行う際、主機の認識をしたリモコンの入力を有効とするので、複数台のリモコンの内、最後に使用者により操作されたリモコンに内蔵されたセンサを有効とし、空気調和機の制御に使用することにより、使用者の周辺の環境条件例えばセンサ入力手段が温度センサであればその温度条件を用いた空気調和機の制御が可能となり、快適な空気調和動作が可能な空気調和機の制御装置を得ることができるという効果がある。
【００４３】
請求項５の発明によれば、空気調和機本体より給電された時点からの所定時間を、各々のリモコンが持つクロック周波数の物理的バラツキ等を利用して出力値を決定する機能を持つ乱数発生手段の出力に基づいて決定されるので、複数台のリモコンが同時に給電されてから、自身が主機であることが分かる予め定められたコマンドを送信するまでの時間に効率よく差を設けることができるという効果がある。
【００４４】
請求項６の発明によれば、信号線により空気調和機本体と単一又は複数台のリモコンが接続され双方向に通信を行う空気調和機のシステムにおいて、自身が主機であることが分かる予め定められたコマンドを受信したか否かを判別する第１のステップと、この第１のステップにおける判別結果に応じて自身が主機または従機であると認識する第２のステップとを含むので、リモコンの主機／従機の設定をそれ専用の設定入力を外部から与えること無しに自動的に行うことができ、以て、設定忘れ等の工事ミスを伴うことなく工事工程等の簡略化を図ることができる空気調和機の制御方法を得ることができ、また、第１のステップは、空気調和機本体より給電された時点から、所定時間後に、自身が主機であることが分かる予め定められたコマンドを受信しなければ、そのコマンドを他のリモコンに対して送信し、そのコマンドを自身が送信する以前に他のリモコンから受信した場合には、そのコマンドを送信しないステップを含み、第２のステップは、コマンドを受信しなければ、自身が主機であるということを認識せず、受信した場合には、自身は従機であるという認識をするステップを含むので、リモコンの主機／従機設定を手動入力にて行う必要がなく、主従設定専用入力手順を省いた、安価で、据付工事が簡易で、施行性に優れた空気調和機の制御方法を得ることができるという効果がある。
【００４６】
請求項７の発明によれば、信号線により空気調和機本体と単一又は複数台のリモコンが接続され双方向に通信を行う空気調和機のシステムにおいて、自身が主機であることが分かる予め定められたコマンドを受信したか否かを判別する第１のステップと、この第１のステップにおける判別結果に応じて自身が主機または従機であると認識する第２のステップとを含むので、リモコンの主機／従機の設定をそれ専用の設定入力を外部から与えること無しに自動的に行うことができ、以て、設定忘れ等の工事ミスを伴うことなく工事工程等の簡略化を図ることができる空気調和機の制御方法を得ることができ、また、第１のステップは、空気調和機本体より給電された後、初めて、空気調和機に関する操作入力を受けた際に、自身が主機であることが分かる予め定められたコマンドを他のリモコンに対して送信するステップを含み、第２のステップは、そのコマンドを自身が送信する以前に他のリモコンからそのコマンドを受信した場合には、自身は従機であるという認識をするステップを含み、更に、第１のステップは、自身は従機であるという認識をした以降は空気調和機に関する操作入力を受けた際にもそのコマンドを送信しないステップを含むので、リモコンの主従設定をそれ専用の入力手順を行う必要が無く、主従設定専用入力手順を省いた、安価で、据付工事が簡易で、施行性に優れた空気調和機の制御方法を得ることができるという効果がある。
【００４７】
請求項８の発明によれば、第１のステップは、空気調和機に関する操作入力を受ける度に繰り返し、自身が主機であることが分かる予め定められたコマンドを他のリモコンに対して送信するステップを含み、第２のステップは、空気調和機に関する操作入力を受ける度に繰り返し、自身が主機であることを認識するステップと、コマンドを他のリモコンから受信した場合には自身は従機であるという認識をするステップとを含むので、常に最後の操作入力を受けたリモコンが主機に設定される動作が可能となり、使用者のいる位置に近い温度等の環境入力情報をもって制御を行う快適な空気調和動作が可能な空気調和機の制御方法を得ることができるという効果がある。
【００４８】
請求項９の発明によれば、空気調和機本体およびリモコンに内蔵されるセンサ入力手段からの入力情報のうち、何れか１台のリモコンからの入力を有効とし上記空気調和機本体の制御を行う際、主機の認識をしたリモコンの入力を有効とする第３のステップを含むので、最後に使用者により操作されたリモコンに内蔵されたセンサを有効とし、使用者の周辺の環境条件例えば温度条件を用いた空気調和機の制御が可能となり、快適な空気調和動作が可能な空気調和機の制御方法を得ることができるという効果がある。Ｔ
【図面の簡単な説明】
【図１】  この発明の実施の形態１を示すブロック図である。
【図２】  この発明の実施の形態１におけるリモコンのマイコン制御部の動作を示すフローチャートである。
【図３】  この発明の実施の形態２におけるリモコンのマイコン制御部の動作を示すフローチャートである。
【図４】  この発明の実施の形態３におけるリモコンのマイコン制御部の動作を示すフローチャートである。
【図５】  従来の空気調和機の制御装置を示すブロック図である。
【符号の説明】
２Ａ  室内機、  ３Ａ，４Ａ  リモコン、  ２１，２２，３１，４１  送受信回路、  ２３Ａ，３５Ａ，４５Ａ  マイコン制御部、  ３２，４２  操作入力手段、  ２４，３３，４３  センサ入力手段、  ３６，４６  時間決定手段、  ３７，４７  乱数発生手段。
【図１】
0003821580.tif 000002
【図２】
0003821580.tif 000003
【図３】
0003821580.tif 000004
【図４】
0003821580.tif 000005
【図５】
0003821580.tif 000006